(57)【要約】【課題】  省スペース化が可能であり、第１接続対象物の形状に制約されず、第１接続対象物の周囲をシールドすることができるソケットを提供すること。【解決手段】  第１接続対象物５１と接続する第１接続部１４と第２接続対象物６１と接続する第２接続部１５とを有するコンタクト１１を保持したハウジング２１と、前記第１接続対象物５1を収容するシェル収容部３３が設けられたシェル３１を有し、前記シェル３１の係止部３５ａと前記ハウジング２１の被係止部２５とを係止させ、前記シェル３１の底壁部３９が前記第１接続対象物５１を押圧することにより、前記第１接続対象物５１の接続部５５を前記第１接続部１４に向けて押圧する。【選択図】    図１
2008112727.tif 000002
【特許請求の範囲】
【請求項１】
第１接続対象物及び第２接続対象物間を接続するソケットにおいて、
前記第１接続対象物と接続する第１接続部と前記第２接続対象物と接続する第２接続部とを有するコンタクト；
該コンタクトを保持したハウジング；及び
前記第１接続対象物を収容するシェル収容部を有する導電性のシェルを含み；
前記シェルは、
前記第１接続対象物の一面に対向する底壁部；及び
前記第１接続対象物の前記一面に隣接した側面を囲む側壁を含み、
前記底壁部と前記側壁とにより前記シェル収容部が構成され、
前記側壁は係止部を有し、
前記ハウジングは、前記係止部に係合する被係止部を有し、
前記底壁部が前記第１接続対象物の前記一面を押圧することにより、前記第１接続対象物の接続部を前記コンタクトの前記第１接続部に圧接させるものであることを特徴とするソケット。
【請求項２】
第１接続対象物及び第２接続対象物間を接続するソケットにおいて、
前記第１接続対象物と接続する第１接続部と前記第２接続対象物と接続する第２接続部とを有するコンタクト；
該コンタクトを保持したハウジング；
前記第１接続対象物を収容するシェル収容部を有する導電性のシェル；及び
前記ハウジングと前記シェルとをロックする導電性のロック部材とを含み；
前記シェルは、
前記第１接続対象物の一面に対向する底壁部；及び
前記第１接続対象物の前記一面に隣接した側面を囲む側壁を含み、
前記底壁部と前記側壁とにより前記シェル収容部が構成され、
前記側壁は係止部を有し、
前記ハウジングは、前記ロック部材を保持するロック取り付け部を有し、
前記ロック部材は、前記ハウジングに保持されるロック保持部と、前記シェルの前記係止部と係合するロック係合部とを有し、
前記底壁部が前記第１接続対象物の前記一面を押圧することにより、前記第１接続対象物の接続部を前記コンタクトの前記第１接続部に圧接させるものであることを特徴とするソケット。
【請求項３】
請求項１又は２記載のソケットにおいて、前記シェルは前記第１接続対象物を保持するよう前記側壁に形成したシェル保持部を有することを特徴とするソケット。
【請求項４】
請求項１乃至３のいずれか１項に記載のソケットにおいて、前記ハウジングは前記第１接続対象物を位置決めする位置決め部を有することを特徴とするソケット。
【請求項５】
請求項１乃至４のいずれか１項に記載のソケットにおいて、前記シェルの前記側壁は、互いに分離された複数の側壁部を含み、前記側壁部の少なくとも一つは前記係止部を備えていることを特徴とするソケット。
【請求項６】
請求項１乃至５のいずれか１項に記載のソケットにおいて、前記ハウジングには、前記シェルの前記側壁の先端部が挿入されて係止される係止溝が形成されており、前記シェル収容部の前記側壁は互いに離間した複数の側壁部を含み、前記側壁部の少なくとも一つは、前記係止溝に係止される前記先端部を有することを特徴とするソケット。
【発明の詳細な説明】
【技術分野】
【０００１】
本発明は、接続対象物間を接続するソケットに関するものである。
【背景技術】
【０００２】
関連技術１としては、カメラモジュールが挿入されて装着される装着部を有するソケットが知られている。このソケットは、装着部が形成されたソケット本体と、装着部内に露出し、カメラモジュールと電気的に接触する端子と、ソケット本体の外部に取付けられる枠体とを備えている（例えば、特許文献１を参照）。
【０００３】
また、関連技術２としては、モジュールの底面と対向するハウジング部材と、ハウジング部材に装填された端子と、モジュールを囲むシェルとを有するモジュール用ソケットが知られている（例えば、特許文献２を参照）。
【０００４】
モジュール用ソケットでは、シェルの四つの平面がハウジング部材の四方を取囲む側壁となっており、端子及びシェルが基板に接続される。
【０００５】
【特許文献１】特開２００５−２４３３４０号公報（公報の段落［００２８］〜［００３０］、［図３］）
【特許文献２】特開２００６−２１０２０５号公報（公報の段落［００２１］〜［００２７］、段落［００３４］、［００３５］、［図１］、［図４］）
【発明の開示】
【発明が解決しようとする課題】
【０００６】
特許文献１では、カメラモジュールを収容するためにソケット本体がカメラモジュールの四方側面にあり、ソケット本体の外側には枠体が配置されているので、ソケットの形状が大きくなってしまうという問題がある。また、部品点数が多く取り扱いが複雑であり組立工数が多くなってしまうという問題がある。
【０００７】
特許文献２では、シェルの上部が広く開口されているため、モジュールの上面をシェルによってシールドすることかできないという問題がある。
【０００８】
また、特許文献２では、シェルの側面にグランド用ばね部材及びロック用ばね部材に対応する切欠きを複数形成しなければならない。したがって、モジュール形状に対応するシェル形状が制約されてしまうという問題がある。
【０００９】
それ故に、本発明の課題は、第１接続対象物の形状に制約されず、第１接続対象物の周囲をシールドすることができるソケットを提供することにある。
【課題を解決するための手段】
【００１０】
本発明は、第１接続対象物及び第２接続対象物間を接続するソケットにおいて、前記第１接続対象物と接続する第１接続部と前記第２接続対象物と接続する第２接続部とを有するコンタクト；該コンタクトを保持したハウジング；及び前記第１接続対象物を収容するシェル収容部を有する導電性のシェルを含み；前記シェルは、前記第１接続対象物の一面に対向する底壁部；及び前記第１接続対象物の前記一面に隣接した側面を囲む側壁を含み、前記底壁部と前記側壁とにより前記シェル収容部が構成され、前記側壁は係止部を有し、前記ハウジングは、前記係止部に係合する被係止部を有し、前記底壁部が前記第１接続対象物の前記一面を押圧することにより、前記第１接続対象物の接続部を前記コンタクトの前記第１接続部に圧接させるものであるソケットであることを最も主要な特徴とする。
【００１１】
また、本発明は、第１接続対象物及び第２接続対象物間を接続するソケットにおいて、前記第１接続対象物と接続する第１接続部と前記第２接続対象物と接続する第２接続部とを有するコンタクト；該コンタクトを保持したハウジング；前記第１接続対象物を収容するシェル収容部を有する導電性のシェル；及び前記ハウジングと前記シェルとをロックする導電性のロック部材とを含み；前記シェルは、前記第１接続対象物の一面に対向する底壁部；及び前記第１接続対象物の前記一面に隣接した側面を囲む側壁を含み、前記底壁部と前記側壁とにより前記シェル収容部が構成され、前記側壁は係止部を有し、前記ハウジングは、前記ロック部材を保持するロック取り付け部を有し、前記ロック部材は、前記ハウジングに保持されるロック保持部と、前記シェルの前記係止部と係合するロック係合部とを有し、前記底壁部が前記第１接続対象物の前記一面を押圧することにより、前記第１接続対象物の接続部を前記コンタクトの前記第１接続部に圧接させるものであるソケットであることを最も主要な特徴とする。
【発明の効果】
【００１２】
本発明に係るソケットによれば、シェルは、第１接続対象物の位置のみが開口しているため、シェルの底壁部に対応する第１接続対象物の上面（一面）やシェルの側壁部が対応する周囲をシールドすることができる。
【００１３】
また、シェルは、第１接続対象物の上面をシェルの底壁部によって押さえ、ハウジングとシェルとを係止することから第１接続対象物の形状に制約されないソケットを提供できる。
【００１４】
本発明に係るソケットによれば、ソケットに導電性のロック部材を備え、このロック部材とシェルとを係合させることにより、シールドを強化することができ、省スペースで確実なロックが可能となる。
【発明を実施するための最良の形態】
【００１５】
本発明のソケットは、第１接続対象物及び第２接続対象物間を接続するソケットにおいて、前記第１接続対象物と接続する第１接続部と前記第２接続対象物と接続する第２接続部とを有するコンタクト；該コンタクトを保持したハウジング；及び前記第１接続対象物を収容するシェル収容部を有する導電性のシェルを含み；前記シェルは、前記第１接続対象物の一面に対向する底壁部；及び前記第１接続対象物の前記一面に隣接した側面を囲む側壁を含み、前記底壁部と前記側壁とにより前記シェル収容部が構成され、前記側壁は係止部を有し、前記ハウジングは、前記係止部に係合する被係止部を有し、前記底壁部が前記第１接続対象物の前記一面を押圧することにより、前記第１接続対象物の接続部を前記コンタクトの前記第１接続部に圧接させるものであることにより実現した。
【００１６】
また、本発明のソケットは、第１接続対象物及び第２接続対象物間を接続するソケットにおいて、前記第１接続対象物と接続する第１接続部と前記第２接続対象物と接続する第２接続部とを有するコンタクト；該コンタクトを保持したハウジング；前記第１接続対象物を収容するシェル収容部を有する導電性のシェル；及び前記ハウジングと前記シェルとをロックする導電性のロック部材とを含み；前記シェルは、前記第１接続対象物の一面に対向する底壁部；及び前記第１接続対象物の前記一面に隣接した側面を囲む側壁を含み、前記底壁部と前記側壁とにより前記シェル収容部が構成され、前記側壁は係止部を有し、前記ハウジングは、前記ロック部材を保持するロック取り付け部を有し、前記ロック部材は、前記ハウジングに保持されるロック保持部と、前記シェルの前記係止部と係合するロック係合部とを有し、前記底壁部が前記第１接続対象物の前記一面を押圧することにより、前記第１接続対象物の接続部を前記コンタクトの前記第１接続部に圧接させるものであることにより実現した。
【実施例１】
【００１７】
図１は、本発明に係るソケットの実施例１を示しており、ソケットと、相互に接続する第１接続対象物及び第２接続対象物とがソケットによって組み立てられている状態を示している。図２は、図１に示したソケット、第１接続対象物及び第２接続対象物の縦断面を示している。図３は、図１に示したソケット、第１接続対象物及び第２接続対象物を分解した状態を示している。
【００１８】
図１乃至図３を参照して、ソケット１は、複数の導電性のコンタクト１１と、コンタクト１１を保持している絶縁性のハウジング２１と、ハウジング２１に係合し保持される金属からなる導電性のシェル３１とを有する。
【００１９】
第１接続対象物５１と第２接続対象物６１との間には、ハウジング２１とコンタクト１１とが位置している。ハウジング２１上には第１接続対象物５１が設置されている。ソケット１には、第１接続対象物５１をシェル３１内に収容することによって第１接続対象物５１とシェル３１とが組み立てられた状態で、第１接続対象物５１及び第２接続対象物６１を相互に電気的に接続する。なお、ハウジング２１とシェル３１とは、これらが組み立てられた状態から分解することが可能である。
【００２０】
コンタクト１１は、図1、図２及び図３に示されているように、保持部１２と、保持部１２の一側に連接されて延びている第１接続部１４と、保持部１２の他側に連接されて延びている第２接続部１５とを有する。
【００２１】
第１接続部１４は、保持部１２に対向するように曲げられて延びている。第１接続部１４は、弾性変位が可能となるように保持部１２に接続されている。第１接続部１４の自由端部は、第１接続対象物５１と接続させるために略円弧状に曲げられている。保持部１２と第２接続部１５の端部とは、第２接続対象物６１と接続させるためにクランク状に曲げられている。コンタクト１１は、導電板を打ち抜いた後に、曲げ加工を施すことによって作ることができる。
【００２２】
複数のコンタクト１１は、互いに間隔をもって配列されている１列と、この１列のコンタクト１１の側面略Ｕ字状部分が対向するように間隔をもってもう一方の１列のコンタクト１１が１列に位置されてハウジング２１に保持されている。
【００２３】
ハウジング２１は、図４及び図５にも示すように、ベース部２３と、ベース部２３に形成されているコンタクト保持部２２と、シェル３１へ圧入され嵌め込まれる突起２４と、接続装置としてシェル３１と係止する凸状の被係止部２５と、ベース部２３の一面２３ａに設けられている一対の位置決め部２６とを有する。
【００２４】
ベース部２３は、樹脂材によって作られており、略四角形状かつ平板状に作られている。ベース部２３には、コンタクト保持部２２が複数のコンタクト１１の数に対応して形成されている。
【００２５】
コンタクト保持部２２は、ベース部２３の相対向する一対の第１側面２３ｃのそれぞれからベース部２３の中央部分の近傍にまで長い切り込み溝を形成することによって略櫛歯形状となっている部分である。１つのコンタクト保持部２２には、１本のコンタクト１１の保持部１２が圧入されることによって保持されている。
【００２６】
突起２４は、一対の第１側面２３ｃのそれぞれと隣接し、相対向する一対の第２側面２３ｄのそれぞれに設けられている。突起２４は、一対の第２側面２３ｄの長手方向の中央部分に位置している。被係止部２５は、突起２４と間隔をもって一対の第２側面２３ｄのそれぞれから突出するように位置している。被係止部２５は、第２側面２３ｄの長手方向において突起２４と間隔をもって位置している。
【００２７】
一対の位置決め部２６は、円柱形状を呈している。一対の位置決め部２６は、一対の第２側面２３ｄの近傍でかつ２列のコンタクト保持部２２の間のベース部の一面２３ａから突出している。
【００２８】
位置決め部２６は、図６にも示す第１接続対象物５１の本体部５３の底面に設けられているプリント配線基板のような実装基板５５に形成されている位置決め孔５６に挿入されることによって第１接続対象物５１との位置決めする役目を果たす。
【００２９】
さらに、ベース部２３の第１側面２３ｃの近傍には、コンタクト保持部２２の長手方向と直交する方向にかつベース部２３の一面２３ａからベース部２３の一面２３ａに対向する他面側へ係止溝２７が形成されている。
【００３０】
図２によって明らかなように、ハウジング２１には、コンタクト１１の第１接続部１４が、ハウジング２１のベース部２３の一面２３ａ上に位置しており、ベース部２３の一面２３ａに対して上下方向へ弾性変位が可能となっている。また、コンタクト１１の第２接続部１５は、第２接続対象物６１に接続するようにハウジング２１のベース部２３の一面２３ａとは異なる第１側面２３ｃ側からハウジング２１の外へ突出している。
【００３１】
シェル３１は、図７乃至図９にも示すように、第１接続対象物５１を収容するためのシェル収容部３３を有する。
【００３２】
シェル３１は、第１接続対象物５１の一面５１ａに対向する底壁部３９及び第１接続対象物５１の一面５１ａに隣接した第１接続対象物５１の側面５３ｂを囲む側壁を含む。シェル３１の側壁は、相対向している一対の第１側壁部３５,３６と、一対の第１側壁部３５,３６と直交する方向に位置して相対向している一対の第２側壁部３７，３８とを含む。
【００３３】
底壁部３９は、第１側壁部３５,３６及び第２側壁部３７，３８によって略四角筒状に囲まれた第１側壁部３５,３６及び第２側壁部３７，３８の一辺側の開口を閉塞するように接続している。底壁部３９と第１側壁部３５，３６と第２側壁部３７，３８とにより、シェル収容部３３が形成されている。
【００３４】
第１側壁部３５には、底壁部３９側から延びている第１側壁部３５の端辺の近傍に一対の係止部３５ａが形成されている。係止部３５ａは、ハウジング２１の厚みを規定するハウジング２１の第２の側面２３ｄと対向する部分に形成されている。  一対の係止部３５ａ間には、第１側壁部３５の端辺から第１側壁部３５にシェル圧入用の溝３５ｃが形成されている。なお、図示していないが、もう一方の第１側壁部３６の底壁部３９側から延びている第１側壁部３６の端辺にも係止部３５ａ及びシェル圧入用の溝３５ｃと同じ係止部及び溝が形成されている。
【００３５】
シェル３１は、電磁波を遮蔽するために第１接続対象物５１を覆うものであり、金属板を打ち抜いた後に、曲げ加工を施すことによって作られている。係止部３５ａは金属板を打ち抜き加工することによって形成された長四角形状の孔である。係止部３５ａは、ハウジング２１の被係止部２５に係合するように第１側壁部３５，３６の下辺近傍に位置している。また、シェル圧入用の溝３５ｃは、ハウジング２１の突起２４を圧入して嵌め込むことができるように第１側壁部３５，３６に位置している。なお、第１側壁部３６に形成された係止部３５ａとシェル圧入用の溝３５ｃは図示していない。
【００３６】
第１側壁部３５,３６及び第２側壁部３７，３８には、これらの第１及び第２側壁部３５,３６，３７，３８のそれぞれを切り起こすことによってシェル保持部４１が形成されている。シェル保持部４１は、第１側壁部３５,３６及び第２側壁部３７，３８に片持ちばね形状に接続されており、シェル収容部３３に収容された第１接続対象物５１の本体部５３の外側面５３ｂを四方で当接することによって第１接続対象物５１を保持する役目を果たす。
【００３７】
また、第１側壁部３５には、第１側壁部３５の下端近傍の側辺を第１側壁部３５に対して内側へほぼ直角に曲げることによって形成されている誤嵌合防止用の突片３５ｆが形成されている。突片３５ｆは、シェル収容部３３に収容される第１接続対象物５１の誤嵌合を防止する役目を果たす。
【００３８】
第１接続対象物５１は、上述した本体部５３と、本体部５３の底面に設けられている実装基板部５５とを有する。実装基板部５５には、コンタクト１１の第１接続部１４に一対一に接触する導電パッド（図６を参照）５９が設けられている。
【００３９】
本体部５３の外側面５３ｂは４つの側面からなり、一つの角部に誤嵌合防止用の切り落とし部５３ａが形成されている。本体部５３の外側面５３ｂは、シェル３１のシェル収容部３３内に第１接続対象物５１の本体部５３が挿入される際に、シェル保持部４１によって保持される。誤嵌合防止用の切り落とし部５３ａは、シェル３１のシェル収容部３３内に第１接続対象物５１の本体部５３が挿入される際にシェル３１の誤嵌合防止用の突片３５ｆに対応した位置でのみ収容することを可能とする部分である。
【００４０】
シェル３１の第２側壁部３７，３８の先端部３７ｅ，３８ｅは、互いに対峙する向きに少し曲げられている。ハウジング２１にシェル３１が保持される際には、先端部３７ｅ，３８ｅがハウジング２１の係止溝２７に係合する。
【００４１】
なお、実施例１におけるソケット１に使用する第１接続対象物５１は、ＣＣＤ、ＣＭＯＳイメージセンサなどの撮像素子とレンズ等の光学素子とを一体化したカメラモジュールであり、第２接続対象物６１がプリント配線基板である。
【００４２】
第１接続対象物５１は、略立方体形状を呈しており、第１接続対象物５１の上面である一面５１ａにレンズ５７が位置している。シェル３１の底壁部３９には、レンズ５７に対応して円形の孔３９ａが形成されている。
【００４３】
以下、ソケット１の組み立て、及びソケット１によって第１接続対象物５１と第２接続対象物６１とを接続する作業について説明する。
【００４４】
まず、コンタクト１１の保持部１２は、ハウジング２１のコンタクト保持部２２に圧入されることによって保持される。なお、コンタクト１１は、ハウジング２１を樹脂材によって成型する際に、保持部をモールドインすることよってもハウジング２１に保持させることもできる。
【００４５】
第２接続対象物６１には、第２接続対象物６１の回路と接続している接続部としての導電パッド６３が設けられている。複数の導電パッド６３とコンタクト１１の第２接続部１５とは、半田によって接続される。即ち、コンタクト１１がハウジング２１に保持された状態において、第２接続対象物６１の導電パッド６３にコンタクトの第２接続部１５を半田によって接続することにより第２接続対象物６１にハウジング２１を実装し固定される。
【００４６】
そして、ハウジング２１と第１接続対象物５１とは、ハウジング２１の位置決め部２６を第１接続対象物５１の本体部５３及び実装基板５５に形成されている位置決め孔５６に挿入し第１接続対象物５１を位置決めする。
【００４７】
最後に、ハウジング２１にシェル３１を取り付ける。ハウジング２１にシェル３１を取り付ける際には、シェル３１の突片３５ｆを第１接続対象物５１の誤嵌合防止用の切り落とし部５３ａに合わせ、シェル収容部３３を第１接続対象物５１の本体部５３に被せる。このとき、シェル３１の第１側壁部３５，３６の端辺は、ハウジング２１の被係止部２５に当り、第１側壁部３５，３６の端部を互いに少し開く方向へ変位しながら被係止部２５を乗り越えると、シェル３１の係止部３５ａに被係止部２５が係合し、第１側壁部３５，３６が変位状態から元の状態に戻る。同時に、シェル３１の第１側壁部３５，３６のシェル圧入用の溝３５ｃはハウジング２１の突起２４に当り、突起２４がシェル圧入用の溝３５ｃに圧入される。
【００４８】
したがって、第１接続対象物５１を接続する際には、シェル３１の係止部３５ａとハウジング２１に形成した被係止部２５とが係合し、シェル３１の底壁部３９が第１接続対象物５１の一面５１ａ側を押圧することから、コンタクト１１の第１接続部１４に向けて押圧する。このとき、第１接続対象物５１の実装基板部５５に設けられている導電パッド５９は、コンタクト１１の第１接続部１４と一対一に接触する。
【００４９】
なお、第１接続対象物５１として、カメラモジュールを採用した場合には、シェル３１の底壁部３９にレンズ５７に対応する円形の孔３９ａを形成するのみであるから、底壁部３９によって第１接続対象物５１を押圧することができる。また、実装基板部５５の導電パッド５９とコンタクト１１の第１接続部１４とは、押圧力をもって互いに接触させることができる。
【００５０】
なお、実施例１においては、ハウジング２１の位置決め部２６と第１接続対象物５１の本体部５３及び実装基板５５に形成されている位置決め孔５６とを嵌め合わせて位置合わせを行っているが、位置決め部２６と位置決め孔との寸法を、例えば二種類以上として、ハウジング２１に対して第１接続対象物５１の向きを間違えて位置合わせしないようにすることもできる。また、ハウジング２１の位置決め部２６と第１接続対象物５１の位置決め孔５６とを逆の関係に設けてもよい。
【００５１】
さらに、シェル３１のシェル保持部４１は、第１接続対象物５１を覆う途中で予め仮止めするために有効なものであり、４つのシェル保持部４１の内側に第１接続対象物５１の本体部５３を嵌め込むことによって第１接続対象物５１を仮止めし、シェル３１をハウジング２１に取り付けることによって第１接続対象物５１とコンタクト１１との電気的接続を得ることができる。
【００５２】
最後に、ハウジング２１へのシェル３１の取り付け方法であるが、ハウジング２１に設けたシェル係合用突起２４とシェルに設けたハウジング係合用の溝３５ｃを嵌め合わせて行う。ここで、ハウジングに溝を設け、シェルに突起を設けてもよい。
【００５３】
また、第１接続対象物５１を予めハウジング２１に仮止めする場合は、ハウジング２１の位置決め部２６と第１接続対象物５１の位置決め孔５６とを圧入させることによって、第１接続対象物５１とハウジング２１との取り付け精度を向上させることができる。
【００５４】
さらに、シェル３１の第２側壁部３７，３８の先端部３７ｅ，３８ｅ及びハウジング２１の係止溝２７は、第１接続対象物５１をシェル３１に収容する際にシェル保持部４１の変位に伴い第２側壁部３７，３８が外側へ膨らむような変形を防止するために有効なものとなる。
【００５５】
なお、ソケット１においては、ハウジング２１の突起２４、シェル３１のシェル圧入用の溝３５ｃ、誤嵌合防止用の突片３５ｆ、シェル保持部４１のそれぞれの構成は、これらの構成を対象となる第１接続対象物５１とシェル３１との保持手段として必要に応じて設けるようにすればよい。
【００５６】
具体的には、第１接続対象物５１の本体部５３及び実装基板５５に形成されている位置決め孔５６をハウジング２１に形成し、第１接続対象物５１に位置決め部２６を設けるようにしてもよい。
【実施例２】
【００５７】
図１０は、本発明に係るソケットの実施例２を示しており、ソケットと、相互に接続する第１接続対象物及び第２接続対象物とがソケットによって組み立てられている状態を示している。
【００５８】
図１１は、図１０に示したソケット、第１接続対象物及び第２接続対象物の縦断面を示している。図１２は、図１０に示したソケット、第１接続対象物及び第２接続対象物を分解した状態を示している。
【００５９】
図１０乃至図１２を参照して、ソケット１´は、複数の導電性のコンタクト１１´と、コンタクト１１´を保持している絶縁性のハウジング２１´と、ハウジング２１´に係合し保持されるシェル３１とを有する。
【００６０】
さらに、ソケット１´は、シェル３１と接続しシールドを可能とする接続装置としての導電性のロック部材７０を備えている。
【００６１】
なお、コンタクト１１´、及びハウジング２１´については、図１乃至図９によって説明した実施例１におけるコンタクト１１及びハウジング２１と形状が若干異なるが同様な機能を果たすことから、同じ部分には同じ符号を付して説明を省略する。
【００６２】
コンタクト１１´は、図１３にも示されているように、保持部１２と、保持部１２の一側に連接されて延びている第１接続部１４と、保持部１２の他側に連接されている第２接続部１５とを有する。
【００６３】
保持部１２及び第１接続部１４は、略直線状に延びている。第１接続部１４は、弾性変位が可能となるように保持部１２に接続されている。第１接続部１４の自由端部は、第１接続対象物５１と接続させるために略円弧状に曲げられている。保持部１２と第２接続部１５の端部とは、第２接続対象物６１と接続させるためにクランク状に曲げられている。
【００６４】
複数のコンタクト１１´は、互いに間隔をもって交互に逆向きになるように配列されている。即ち、複数のコンタクト１１´は、互いに間隔をもって配列されている１列と、これら１列のコンタクト１１´間で間隔をもってもう一方の１列のコンタクト１１´が１列に位置されてハウジング２１´に保持されている。
【００６５】
ハウジング２１´は、図１４乃至図１６にも示すように、ベース部２３´と、ベース部２３´に形成されているコンタクト保持部２２´と、シェル３１へ圧入され嵌め込まれる突起２４と、ベース部２３´の一面２３ａに設けられている一対の位置決め部２６とを有する。
【００６６】
ベース部２３´には、コンタクト保持部２２´が複数のコンタクト１１´の数に対応して形成されている。コンタクト保持部２２´は、ベース部２３の相対向する一対の第１側面２３ｃのそれぞれから、それぞれが対向するベース部２３の第１側面２３ｃの近傍にまで長い切り込み溝を形成することによって、交互に略櫛歯形状となっている部分である。１つのコンタクト保持部２２´には、１本のコンタクト１１´の保持部１２が圧入されることによって保持されている。
【００６７】
一対の第２側面２３ｄのそれぞれには、長手方向の中央部分に位置している突起２４の両側に、２つの溝形状のロック取り付け部２８が形成されている。
【００６８】
図１１によって明らかなように、ハウジング２１´には、コンタクト１１´の第１接続部１４がベース部２３´の一面２３ａよりも上方に位置しており、ベース部２３´の一面２３ａに対して上下方向へ弾性変位が可能となっている。
【００６９】
また、コンタクト１１´の第２接続部１５は、第２接続対象物６１´に接続するようにハウジング２１のベース部２３´の一面２３ａとは異なる面から外へ突出している。
【００７０】
シェル３１は、図１乃至図３、図７乃至図９によって説明した実施例１におけるシェル３１と同じ形状であるため説明を省略する。
【００７１】
第１接続対象物５１は、本体部５３と、本体部５３の底面に設けられている実装基板部５５とを有する。実装基板部５５には、コンタクト１１´の第１接続部１４に一対一に接触する導電パッド（図示せず）が設けられている。第１接続対象物５１のその他の構成は、図１乃至図３、図７乃至図９によって説明した実施例１における第１接続対象物５１と同じ形状であるため説明を省略する。
【００７２】
第２接続対象物６１´には、信号等の回路と接続している接続部としての導電パッド６３´と、グランド用回路と接続している接続部としての導電パッド６５とが設けられている。複数の導電パッド６３´とコンタクト１１´の第２接続部１５とは、半田によって接続される。即ち、コンタクト１１´がハウジング２１´に保持された状態において、第２接続対象物６１´の導電パッドにコンタクト１１´の第２接続部１５を半田によって接続することにより第２接続対象物６１´にハウジング２１´を実装し固定している。
【００７３】
コンタクト１１´は、図１乃至図３に示したソケット１に用いられるコンタクト１１と同じ機能を果たすものである。コンタクト１１´は、第１接続対象物５１と第２接続対象物６１´の間で信号を送受信するために用いられる。
【００７４】
ロック部材７０は、図１７にも示すように、平形状のロック接続部７１と、湾曲状に曲げられてフック形状をなすロック係合部７２と、ロック接続部７１とロック係合部７２との間でロック接続部７１とロック係合部７２とを一体に接続しているロック中間部７３と、ロック中間部７３の側面からから突き出ているロック保持部７４とを有する。
【００７５】
金属製の導電板をプレスにより打ち抜いた後、曲げ加工することによって作ることができる。ロック部材７０は、ロック中間部７３がそれぞれハウジング２１´に形成されているロック取り付け部２８に納まる状態でハウジング２１´に保持されている。
【００７６】
なお、実施例２のロック部材７０は、４つのロック取り付け部２８に一対一に対応するように４つのロック部材７０を備えている。ロック中間部７３は、溝形状のロック取り付け部２８に圧入して保持される。もしくは、ロック中間部７３は、ハウジング２１´を樹脂成形によって形成する際に、ロック取り付け部２８の箇所にモールドイン成形により保持させることができる。
【００７７】
ロック部材７０のロック係合部７２は、シェル３１の係止部３５ａへ入り込み係止部３５ａと係止することにより、ハウジング２１´とシェル３１とをロック状態とする。一方、ロック保持部７４は、ハウジング２１´のベース部２３´を保持するためにベース部２３´の一面２３ａとは反対側のハウジング２１´の面に係止する。従って、ロック部材７０は、シェル３１とベース部２３´とを連結する役目を果たす。
【００７８】
ソケット１´が、第１接続対象物５１を第２接続対象物６１´上に設置されて組み立てられる時には、コンタクト１１´の第２接続部１５が第２接続対象物６１´上に形成される導電パッド６３´と接続される。同時に、各ロック部材７０のロック接続部７１は、第２接続対象物６１´に設けられている４つの導電パッド６５のそれぞれに一対一に対応して位置させる。
【００７９】
その後、第２接続部１５のロック接続部７１は、それぞれに対応して位置させた導電パッド６３´，６５のそれぞれと半田によって半田付け接続される。したがって、シェル３１と第２接続対象物６１´とは、ロック部材７０を介してグランド接続される。
【００８０】
なお、各実施例では、シェル３１とロック部材７０とに金属を用いたが、これらを樹脂で形成し、表面に導電性のメッキを施したものを用いてもよい。
【産業上の利用可能性】
【００８１】
本発明は、ＩＣパッケージ、赤外線センサ、読み取りセンサなどのセンサを含むセンサモジュール、音響素子モジュールなどの第１接続対象物に適応できる。第２接続対象物としては、ＦＰＣ（フレキシブル・プリンテッド・サーキット）を適用でき、携帯電話機、ＰＤＡ等の小型電子機器、家庭用電気機器、自動車、防犯監視装置などに搭載するソケットとしての用途に適用できる。
【図面の簡単な説明】
【００８２】
【図１】本発明に係るソケットの実施例１を示しており、ソケットと、このソケットによって接続した第１接続対象物及び第２接続対象物との組立状態を示す斜視図である。
【図２】図１に示した第１接続対象物及び第２接続対象物を含むソケットの縦断面図である。
【図３】図１に示したソケット、第１接続対象物、及び第２接続対象物を分解した状態で示した斜視図である。
【図４】図３に示したハウジングの正面図である。
【図５】図４に示したハウジングの底面図である。
【図６】図３に示した第１接続対象物の底面図である。
【図７】図３に示したシェルの側面図である。
【図８】図３に示したシェルの正面図である。
【図９】図３に示したシェルの底面図である。
【図１０】本発明に係るソケットの実施例２を示しており、ソケットと、このソケットによって接続した第１接続対象物及び第２接続対象物との組立状態を示す斜視図である。
【図１１】図１０に示した第１接続対象物及び第２接続対象物を含むソケットの縦断面図である。
【図１２】図１０に示したソケット、第１接続対象物、及び第２接続対象物を分解した状態で示した斜視図である。
【図１３】図１２に示したコンタクトの平面図である。
【図１４】図１２に示したハウジングの正面図である。
【図１５】図１２に示したハウジングの平面図である。
【図１６】図１２に示したハウジングの底面図である。
【図１７】図１２に示したロック部材を示した斜視図である。
【符号の説明】
【００８３】
１，１´    ソケット
１１，１１´    コンタクト
１４    第１接続部
１５    第２接続部
２１、２１´    ハウジング
２２，２２´    コンタクト保持部
２３、２３´    ベース部
２３ｃ    第１側面
２３ｄ    第２側面
２４    突起
２５    被係止部
２６    位置決め部
２８    ロック取り付け部
３１    シェル
３３    シェル収容部
３５,３６    第１側壁部
３５ａ    係止部
３５ｃ    溝
３５ｆ    突片
３７，３８    第２側壁部
３９    底壁部
４１    シェル保持部
５１    第１接続対象物
５３    本体部
５３ａ    切り落とし部
５５    実装基板
６１，６１´    第２接続対象物
７０    ロック部材
７１    ロック接続部
７２    ロック係合部
７３    ロック中間部
７４    ロック保持部
【図１】
2008112727.tif 000003
【図２】
2008112727.tif 000004
【図３】
2008112727.tif 000005
【図４】
2008112727.tif 000006
【図５】
2008112727.tif 000007
【図６】
2008112727.tif 000008
【図７】
2008112727.tif 000009
【図８】
2008112727.tif 000010
【図９】
2008112727.tif 000011
【図１０】
2008112727.tif 000012
【図１１】
2008112727.tif 000013
【図１２】
2008112727.tif 000014
【図１３】
2008112727.tif 000015
【図１４】
2008112727.tif 000016
【図１５】
2008112727.tif 000017
【図１６】
2008112727.tif 000018
【図１７】
2008112727.tif 000019